(57)【要約】【課題】多数の画像の中からゲーム感覚で所望の画像を素早く選択することができる画像選択装置、画像選択方法及び画像選択プログラムを提供する。【解決手段】選択対象の画像群の中から画像消去エリア１２１Ｕに表示可能な画像数の画像を抽出し、抽出した画像を表示させる（図５（Ａ））。画像消去エリア１２１Ｕ上で消去したい画像を指でなぞると（図５（Ｂ））、なぞったタッチ位置の移動軌跡上の画像が消去される（図５（Ｃ））。また、タッチ位置の移動軌跡に対応する第１の範囲Ａの中でタッチしなかった画像は選択候補画像として選択画像エリア１２１Ｄに落下させる（図５（Ｄ））。また、第１の範囲Ａの上方に積み重なっている第２の範囲Ｂの未選択の画像を画像消去エリア１２１Ｕ内で落下させ、更に画像消去エリア１２１Ｕの空きエリアに画像群のうちの未表示の画像を追加（落下）して表示させる。【選択図】  図５
2017068600.tif 000002
【特許請求の範囲】
【請求項１】
複数の画像をマトリクス状に配置して表示する表示部であって、画像消去エリアと選択画像エリアとに分割された画面を有する表示部と、
前記表示部の画面上に配設されたタッチパネルと、
前記画像消去エリアに表示可能な画像数よりも多い画像群から前記画像消去エリアに表示可能な画像数の画像を抽出し、前記画像消去エリアに前記抽出した画像をマトリクス状に配置して表示させる第１の表示制御部と、
前記画像消去エリアに対応する前記タッチパネル上での連続した第１のタッチ操作であって、タッチ位置の移動軌跡を示す前記第１のタッチ操作を受け付ける第１のタッチ操作受付部と、
前記第１のタッチ操作受付部により前記第１のタッチ操作を受け付けると、前記タッチ位置の移動軌跡に応じて前記画像消去エリアに表示された画像を、消去する画像と選択候補画像として保持する画像と未選択の画像とに分類する分類部と、
前記分類部での分類結果に応じて前記画像消去エリアに表示された画像のうちの前記消去する画像を前記画像消去エリアから消去し、前記選択候補画像として保持する画像を前記選択画像エリアに移動させる第２の表示制御部と、
前記画像消去エリアのうちの前記画像の消去及び前記画像の選択画像エリアへの移動に伴って空いた第１の空きエリアに前記未選択の画像を移動させ、かつ前記画像消去エリアのうちの前記未選択の画像の移動後に空いた第２の空きエリアに、前記画像群のうちの未表示の画像を追加して表示させる第３の表示制御部と、
を備えた画像選択装置。
【請求項２】
前記第２の表示制御部は、前記選択候補画像として保持する画像の画像数が前記選択画像エリアに表示可能な画像数を越えると、前記選択候補画像として分類された最新の画像を優先して前記選択画像エリアに表示させる請求項１に記載の画像選択装置。
【請求項３】
前記第２の表示制御部は、前記選択候補画像として保持する画像の画像数が前記選択画像エリアに表示可能な画像数を越えると、前記選択画像エリアに表示された前記選択候補画像をシフトして、最新の前記第１のタッチ操作により選択された画像を優先して表示させる請求項１に記載の画像選択装置。
【請求項４】
前記表示部の画面は、前記画像消去エリアとなる上画面と前記選択画像エリアとなる下画面との上下に２分割され、
前記第３の表示制御部は、前記第１の空きエリアに当該第１の空きエリアの上方に積み重なっている前記未選択の画像を落下させ、前記画像消去エリアのうちの前記未選択の画像の落下により空いた第２の空きエリアに、前記画像群のうちの未表示の画像を落下させて前記第２の空きエリアを埋める請求項１から３のいずれか１項に記載の画像選択装置。
【請求項５】
前記選択画像エリアに対応する前記タッチパネル上での第２のタッチ操作であって、前記選択画像エリアに表示された前記選択候補画像から１又は２以上の画像を選択する前記第２のタッチ操作を受け付ける第２のタッチ操作受付部と、
前記第２のタッチ操作受付部により前記第２のタッチ操作を受け付けると、前記選択された１又は２以上の画像に関する情報を出力する出力部と、
を更に備えた請求項１から４のいずれか１項に記載の画像選択装置。
【請求項６】
前記選択画像エリアに移動させられた前記選択候補画像を、前記画像消去エリアに表示させる新たな画像群に変更させる第３のタッチ操作を受け付ける第３のタッチ操作受付部を備え、
前記第１の表示制御部は、前記第３のタッチ操作受付部での前記第３のタッチ操作に基づいて前記選択画像エリアに移動させられた前記選択候補画像を、前記画像消去エリアに表示させる前記画像群に変更する請求項１から５のいずれか１項に記載の画像選択装置。
【請求項７】
前記表示部の画面は、前記画像消去エリアとなる上画面と前記選択画像エリアとなる下画面との上下に２分割され、
前記分類部は、前記タッチ位置の移動軌跡上に位置する画像を前記消去する画像として分類し、前記タッチ位置の移動軌跡内で最も上のタッチ位置が属する画像の行から前記画像消去エリア内で最も下の画像の行までの第１の範囲内の画像のうちの前記消去する画像として分類された画像以外の画像を前記選択候補画像として分類し、前記画像消去エリアに表示された画像のうちの前記第１の範囲以外の第２の範囲の画像を前記未選択の画像として分類する請求項１から６のいずれか１項に記載の画像選択装置。
【請求項８】
前記表示部の画面は、前記画像消去エリアとなる上画面と前記選択画像エリアとなる下画面との上下に２分割され、
前記分類部は、前記タッチ位置の移動軌跡が閉じている場合、前記移動軌跡以内に位置する画像を前記消去する画像として分類し、前記タッチ位置の移動軌跡内で最も上のタッチ位置が属する画像の行から前記画像消去エリア内で最も下の画像の行までの第１の範囲内の画像のうちの前記消去する画像として分類された画像以外の画像を前記選択候補画像として分類し、前記画像消去エリアに表示された画像のうちの前記第１の範囲以外の第２の範囲の画像を前記未選択の画像として分類する請求項１から６のいずれか１項に記載の画像選択装置。
【請求項９】
前記画像消去エリアに対応する前記タッチパネル上での第４のタッチ操作であって、前記画像消去エリアに表示された前記画像をスクロールさせる前記第４のタッチ操作を受け付ける第４のタッチ操作受付部を備え、
前記第２の表示制御部は、前記第４のタッチ操作に基づいて前記画像群から画像を順次読み出し、読み出した画像をスクロールさせる態様で前記画像消去エリアに表示させる請求項１から８のいずれか１項に記載の画像選択装置。
【請求項１０】
前記画像群のうちの未表示の画像の残量を示す残量表示部を更に備えた請求項１から９のいずれか１項に記載の画像選択装置。
【請求項１１】
前記画像群は、複数の商品を示す商品画像の画像群、ポストカードに印刷されるテンプレート画像の画像群、テンプレート画像に合成されるスタンプ画像の画像群、及びユーザ所有の写真画像群のうちの少なくとも１つである請求項１から１０のいずれか１項に記載の画像選択装置。
【請求項１２】
複数の画像をマトリクス状に配置して表示する表示部であって、画像消去エリアと選択画像エリアとに分割された画面を有する表示部と、前記表示部の画面上に配設されたタッチパネルと、を備えた画像選択装置の画像選択方法であって、
前記画像消去エリアに表示可能な画像数よりも多い画像群から前記画像消去エリアに表示可能な画像数の画像を抽出し、前記画像消去エリアに前記抽出した画像をマトリクス状に配置して表示させる第１の表示制御を行うステップと、
前記画像消去エリアに対応する前記タッチパネル上での連続した第１のタッチ操作であって、タッチ位置の移動軌跡を示す前記第１のタッチ操作を受け付けるステップと、
前記第１のタッチ操作を受け付けると、前記タッチ位置の移動軌跡に応じて前記画像消去エリアに表示された画像を、消去する画像と選択候補画像として保持する画像と未選択の画像とに分類するステップと、
前記分類するステップでの分類結果に応じて前記画像消去エリアに表示された画像のうちの前記消去する画像を前記画像消去エリアから消去し、前記選択候補画像として保持する画像を前記選択画像エリアに移動させる第２の表示制御を行うステップと、
前記画像消去エリアのうちの前記画像の消去及び前記画像の選択画像エリアへの移動に伴って空いた第１の空きエリアに前記未選択の画像を移動させ、かつ前記画像消去エリアのうちの前記未選択の画像の移動後に空いた第２の空きエリアに、前記画像群のうちの未表示の画像を追加して表示させる第３の表示制御を行うステップと、
を含む画像選択方法。
【請求項１３】
前記表示部の画面は、前記画像消去エリアとなる上画面と前記選択画像エリアとなる下画面との上下に２分割され、
前記第３の表示制御を行うステップは、前記第１の空きエリアに当該第１の空きエリアの上方に積み重なっている前記未選択の画像を落下させ、前記画像消去エリアのうちの前記未選択の画像の落下により空いた前記第２の空きエリアに、前記画像群のうちの未表示の画像を落下させて前記第２の空きエリアを埋める請求項１２に記載の画像選択方法。
【請求項１４】
前記選択画像エリアに対応する前記タッチパネル上での第２のタッチ操作であって、前記選択画像エリアに表示された前記選択候補画像から１又は２以上の画像を選択する前記第２のタッチ操作を受け付けるステップと、
前記第２のタッチ操作を受け付けると、前記選択された１又は２以上の画像に関する情報を出力するステップと、
を更に含む請求項１２又は１３に記載の画像選択方法。
【請求項１５】
複数の画像をマトリクス状に配置して表示する表示部であって、画像消去エリアと選択画像エリアとに分割された画面を有する表示部と、前記表示部の画面上に配設されたタッチパネルと、を備えた画像選択装置を制御するコンピュータに、
前記画像消去エリアに表示可能な画像数よりも多い画像群から前記画像消去エリアに表示可能な画像数の画像を抽出し、前記画像消去エリアに前記抽出した画像をマトリクス状に配置して表示させる第１の表示制御を行う機能と、
前記画像消去エリアに対応する前記タッチパネル上での連続した第１のタッチ操作であって、タッチ位置の移動軌跡を示す前記第１のタッチ操作を受け付ける機能と、
前記第１のタッチ操作を受け付けると、前記タッチ位置の移動軌跡に応じて前記画像消去エリアに表示された画像を、消去する画像と選択候補画像として保持する画像と未選択の画像とに分類する機能と、
前記分類する機能での分類結果に応じて前記画像消去エリアに表示された画像のうちの前記消去する画像を前記画像消去エリアから消去し、前記選択候補画像として保持する画像を前記選択画像エリアに移動させる第２の表示制御を行う機能と、
前記画像消去エリアのうちの前記画像の消去及び前記画像の選択画像エリアへの移動に伴って空いた第１の空きエリアに前記未選択の画像を移動させ、かつ前記画像消去エリアのうちの前記未選択の画像の移動後に空いた第２の空きエリアに、前記画像群のうちの未表示の画像を追加して表示させる第３の表示制御を行う機能と、
を実現させる画像選択プログラム。
【請求項１６】
前記表示部の画面は、前記画像消去エリアとなる上画面と前記選択画像エリアとなる下画面との上下に２分割され、
前記第３の表示制御を行う機能は、前記第１の空きエリアに当該第１の空きエリアの上方に積み重なっている前記未選択の画像を落下させ、前記画像消去エリアのうちの前記未選択の画像の落下により空いた前記第２の空きエリアに、前記画像群のうちの未表示の画像を落下させて前記第２の空きエリアを埋める請求項１５に記載の画像選択プログラム。
【請求項１７】
前記選択画像エリアに対応する前記タッチパネル上での第２のタッチ操作であって、前記選択画像エリアに表示された前記選択候補画像から１又は２以上の画像を選択する前記第２のタッチ操作を受け付ける機能と、
前記第２のタッチ操作を受け付けると、前記選択された１又は２以上の画像に関する情報を出力する機能と、
を更に備えた請求項１５又は１６に記載の画像選択プログラム。
【発明の詳細な説明】
【技術分野】
【０００１】
本発明は画像選択装置、画像選択方法及び画像選択プログラムに係り、特に多数の画像の中から所望の画像を選択する技術に関する。
【背景技術】
【０００２】
従来、電子黒板などの表示システムにおいて、描き間違った図形を消去したい場合に、消しゴムアイコンを選択し、消しゴムを使うときのように、その図形全体をなぞるタッチ操作を行う方法や、消去したい図形を囲むタッチ操作を行うことで、その図形を消去対象の図形として認識し、認識した状態で特定の操作を行うことにより、消去対象の図形を消去することができる表示システムが提案されている（特許文献１）。
【０００３】
また、入力・表示装置の画面上で削除すべきデータを囲み図形により囲んだ後、編集コマンド「削除」を手書き入力すると、囲み図形で囲まれたデータが削除されると共に、その編集コマンドを記憶し、次に、他の削除すべきデータを別の囲み図形で囲むと、登録された編集コマンド（削除）がその囲み図形で囲まれたデータに対して実行され、そのデータを削除する手書き入力装置が提案されている（特許文献２）。
【０００４】
更に、表示手段の表示領域に識別情報画像を変動表示させ、特定の識別情報画像が停止表示されると、表示領域内に表示される積み重なった複数種類のブロックを示す画像を表示させ、隣接するブロックが同じ種類となった場合には、隣接するブロック同士を消去するゲーム態様を表示手段に表示させる表示制御機能と、遊技者の操作を受けて、所定種類のブロックを選択し、そのブロックを消去するブロック選択機能と消去されたブロックの数に応じて遊技媒体を遊技者に付与する遊技媒体付与機能とをコンピュータに実現させるためのゲームシミュレーションプログラムが提案されている（特許文献３）。
【先行技術文献】
【特許文献】
【０００５】
【特許文献１】特開２０１３−１３１０６６号公報
【特許文献２】特開平６−３３２６１１号公報
【特許文献３】特開２００６−２４７２８５号公報
【発明の概要】
【発明が解決しようとする課題】
【０００６】
特許文献１、２には、タッチパネルでのタッチ操作に基づいてデータを削除する技術が記載されているものの、データの削除により目的のデータ（画像）を残し、画像を選択する（絞り込んでいく）という考えが記載されていない。
【０００７】
一方、特許文献３に記載の発明は、隣接するブロックが同じ種類となった場合には、隣接するブロック同士を消去するゲーム機に関するものであり、容器内のブロックが消されて形成された空間に、その空間の上方に積み重なっているブロックが落下して充填され、容器内に新たに形成された空間には、再びブロックが落下してきて容器をブロックで埋めつくものであり、目的の画像を素早く選択するためのものでない。
【０００８】
本発明はこのような事情に鑑みてなされたもので、多数の画像の中からゲーム感覚で所望の画像を素早く選択することができる画像選択装置、画像選択方法及び画像選択プログラムを提供することを目的とする。
【課題を解決するための手段】
【０００９】
上記目的を達成するために本発明の一の態様に係る画像選択装置は、複数の画像をマトリクス状に配置して表示する表示部であって、画像消去エリアと選択画像エリアとに分割された画面を有する表示部と、表示部の画面上に配設されたタッチパネルと、画像消去エリアに表示可能な画像数よりも多い画像群から画像消去エリアに表示可能な画像数の画像を抽出し、画像消去エリアに抽出した画像をマトリクス状に配置して表示させる第１の表示制御部と、画像消去エリアに対応するタッチパネル上での連続した第１のタッチ操作であって、タッチ位置の移動軌跡を示す第１のタッチ操作を受け付ける第１のタッチ操作受付部と、第１のタッチ操作受付部により第１のタッチ操作を受け付けると、タッチ位置の移動軌跡に応じて画像消去エリアに表示された画像を、消去する画像と選択候補画像として保持する画像と未選択の画像とに分類する分類部と、分類部での分類結果に応じて画像消去エリアに表示された画像のうちの消去する画像を画像消去エリアから消去し、選択候補画像として保持する画像を選択画像エリアに移動させる第２の表示制御部と、画像消去エリアのうちの画像の消去及び画像の選択画像エリアへの移動に伴って空いた第１の空きエリアに未選択の画像を移動させ、かつ画像消去エリアのうちの未選択の画像の移動後に空いた第２の空きエリアに、画像群のうちの未表示の画像を追加して表示させる第３の表示制御部と、を備える。
【００１０】
本発明の一の態様によれば、画像消去エリアと選択画像エリアとに分割された画面を有する表示部に、複数の画像をマトリクス状に配置して表示する。第１の表示制御部は、画像群から画像消去エリアに表示可能な画像数の画像を抽出し、画像消去エリアに抽出した画像をマトリクス状に配置して表示させる。第１のタッチ操作受付部は、画像消去エリアに対応するタッチパネル上での連続した第１のタッチ操作であって、タッチ位置の移動軌跡を示す第１のタッチ操作を受け付け、分類部は、第１のタッチ操作を受け付けると、タッチ位置の移動軌跡に応じて画像消去エリアに表示された画像を、消去する画像と選択候補画像として保持する画像と未選択の画像とに分類する。そして、第２の表示制御部は、分類部での分類結果に応じて画像消去エリアに表示された画像のうちの消去する画像を画像消去エリアから消去し、選択候補画像として保持する画像を選択画像エリアに移動させる。また、第３の表示制御部は、画像消去エリアのうちの画像の消去及び画像の選択画像エリアへの移動に伴って空いた第１の空きエリアに未選択の画像を移動させ、かつ画像消去エリアのうちの未選択の画像の移動後に空いた第２の空きエリアに、画像群のうちの未表示の画像を追加して表示させる。上記第１のタッチ操作受付部によりタッチパネル上での連続した第１のタッチ操作を、繰り返し受け付けることにより、画像群から不要が画像を消去し、所望の画像を選択画像エリアに移動させ、これにより多数の画像の中から所望の画像を選択可能にしている。
【００１１】
本発明の他の態様に係る画像選択装置において、第２の表示制御部は、選択候補画像として保持する画像の画像数が選択画像エリアに表示可能な画像数を越えると、選択候補画像として分類された最新の画像を優先して選択画像エリアに表示させることが好ましい。
【００１２】
本発明の更に他の態様に係る画像選択装置において、第２の表示制御部は、選択候補画像として保持する画像の画像数が選択画像エリアに表示可能な画像数を越えると、選択画像エリアに表示された選択候補画像をシフトして、最新の第１のタッチ操作により選択された画像を優先して表示させることが好ましい。
【００１３】
本発明の更に他の態様に係る画像選択装置において、表示部の画面は、画像消去エリアとなる上画面と選択画像エリアとなる下画面との上下に２分割され、第３の表示制御部は、第１の空きエリアに第１の空きエリアの上方に積み重なっている未選択の画像を落下させ、画像消去エリアのうちの未選択の画像の落下により空いた第２の空きエリアに、画像群のうちの未表示の画像を落下させて第２の空きエリアを埋めることが好ましい。タッチパネルでの連続した第１のタッチ操作に基づいて画像を動的に移動（落下）させ、画像消去エリア内を画像で充填させるようにしたため、ゲーム感覚で画像の選択ができ、画像の選択を楽しみながら行うことができる。
【００１４】
本発明の更に他の態様に係る画像選択装置において、選択画像エリアに対応するタッチパネル上での第２のタッチ操作であって、選択画像エリアに表示された選択候補画像から１又は２以上の画像を選択する第２のタッチ操作を受け付ける第２のタッチ操作受付部と、第２のタッチ操作受付部により第２のタッチ操作を受け付けると、選択された１又は２以上の画像に関する情報を出力する出力部と、を更に備えることが好ましい。選択画像エリアに表示された選択候補画像は、全てが最終的に選択された画像とは限らない。本発明の更に他の態様によれば、第２のタッチ操作受付部が選択候補画像から１又は２以上の画像を選択する第２のタッチ操作を受け付けると、選択された１又は２以上の画像に関する情報を出力する。画像に関する情報は、画像自体でもよいし、画像を一意に特定する情報でもよい。
【００１５】
本発明の更に他の態様に係る画像選択装置において、選択画像エリアに移動させられた選択候補画像を、画像消去エリアに表示させる新たな画像群に変更させる第３のタッチ操作を受け付ける第３のタッチ操作受付部を備え、第１の表示制御部は、第３のタッチ操作受付部での第３のタッチ操作に基づいて選択画像エリアに移動させられた選択候補画像を、画像消去エリアに表示させる画像群に変更することが好ましい。これにより、一旦選択された選択候補画像は、画像消去エリアに表示される画像群に変更され、絞り込まれた画像群から再び選択候補画像の選択が可能になり、選択候補画像の絞り込みを行うことができる。
【００１６】
本発明の更に他の態様に係る画像選択装置において、表示部の画面は、画像消去エリアとなる上画面と選択画像エリアとなる下画面との上下に２分割され、分類部は、タッチ位置の移動軌跡上に位置する画像を消去する画像として分類し、タッチ位置の移動軌跡内で最も上のタッチ位置が属する画像の行から画像消去エリア内で最も下の画像の行までの第１の範囲内の画像のうちの消去する画像として分類された画像以外の画像を選択候補画像として分類し、画像消去エリアに表示された画像のうちの第１の範囲以外の第２の範囲の画像を未選択の画像として分類することが好ましい。即ち、タッチ位置の移動軌跡に関連した第１の範囲内の画像は、タッチ位置の移動軌跡上の消去する画像と選択候補画像とに分類され、画像消去エリア内の残りの画像（第１の範囲以外の第２の範囲の画像）は、未選択の画像として分類される。
【００１７】
本発明の更に他の態様に係る画像選択装置において、表示部の画面は、画像消去エリアとなる上画面と選択画像エリアとなる下画面との上下に２分割され、分類部は、タッチ位置の移動軌跡が閉じている場合、移動軌跡以内に位置する画像を消去する画像として分類し、タッチ位置の移動軌跡内で最も上のタッチ位置が属する画像の行から画像消去エリア内で最も下の画像の行までの第１の範囲内の画像のうちの消去する画像として分類された画像以外の画像を選択候補画像として分類し、画像消去エリアに表示された画像のうちの第１の範囲以外の第２の範囲の画像を未選択の画像として分類することが好ましい。即ち、タッチ位置の移動軌跡が閉じている場合、タッチ位置の移動軌跡に関連した第１の範囲内の画像は、移動軌跡以内に位置する消去する画像と選択候補画像とに分類され、画像消去エリア内の残りの画像（第１の範囲以外の第２の範囲の画像）は、未選択の画像として分類される。画像消去エリアに表示された画像内に消去する画像が多く存在する場合、タッチ位置の移動軌跡が閉じているタッチ操作を行うことで、消去する画像を指定することができ、タッチ位置の移動軌跡上の画像を消去する場合に比べて効率よく画像を消去することができる。
【００１８】
本発明の更に他の態様に係る画像選択装置において、画像消去エリアに対応するタッチパネル上での第４のタッチ操作であって、画像消去エリアに表示された画像をスクロールさせる第４のタッチ操作を受け付ける第４のタッチ操作受付部を備え、第２の表示制御部は、第４のタッチ操作に基づいて画像群から画像を順次読み出し、読み出した画像をスクロールさせる態様で画像消去エリアに表示させることが好ましい。消去する画像が、大量にかたまっている場合、スクロールさせて画像消去エリアから画像を消去することができ、これにより、タッチ位置の移動軌跡により消去する画像を選択する場合に比べて、より効率的に消去することができる。
【００１９】
本発明の更に他の態様に係る画像選択装置において、画像群のうちの未表示の画像の残量を示す残量表示部を更に備えることが好ましい。
【００２０】
本発明の更に他の態様に係る画像選択装置において、画像群は、複数の商品を示す商品画像の画像群、ポストカードに印刷されるテンプレート画像の画像群、テンプレート画像に合成されるスタンプ画像の画像群、及びユーザ所有の写真画像群のうちの少なくとも１つであることが好ましい。
【００２１】
更に他の態様に係る発明は、複数の画像をマトリクス状に配置して表示する表示部であって、画像消去エリアと選択画像エリアとに分割された画面を有する表示部と、表示部の画面上に配設されたタッチパネルと、を備えた画像選択装置の画像選択方法であって、画像消去エリアに表示可能な画像数よりも多い画像群から画像消去エリアに表示可能な画像数の画像を抽出し、画像消去エリアに抽出した画像をマトリクス状に配置して表示させる第１の表示制御を行うステップと、画像消去エリアに対応するタッチパネル上での連続した第１のタッチ操作であって、タッチ位置の移動軌跡を示す第１のタッチ操作を受け付けるステップと、第１のタッチ操作を受け付けると、タッチ位置の移動軌跡に応じて画像消去エリアに表示された画像を、消去する画像と選択候補画像として保持する画像と未選択の画像とに分類するステップと、分類するステップでの分類結果に応じて画像消去エリアに表示された画像のうちの消去する画像を画像消去エリアから消去し、選択候補画像として保持する画像を選択画像エリアに移動させる第２の表示制御を行うステップと、画像消去エリアのうちの画像の消去及び画像の選択画像エリアへの移動に伴って空いた第１の空きエリアに未選択の画像を移動させ、かつ画像消去エリアのうちの未選択の画像の移動後に空いた第２の空きエリアに、画像群のうちの未表示の画像を追加して表示させる第３の表示制御を行うステップと、を含む。
【００２２】
本発明の更に他の態様に係る画像選択方法において、表示部の画面は、画像消去エリアとなる上画面と選択画像エリアとなる下画面との上下に２分割され、第３の表示制御を行うステップは、第１の空きエリアに第１の空きエリアの上方に積み重なっている未選択の画像を落下させ、画像消去エリアのうちの未選択の画像の落下により空いた第２の空きエリアに、画像群のうちの未表示の画像を落下させて第２の空きエリアを埋めることが好ましい。
【００２３】
本発明の更に他の態様に係る画像選択方法において、選択画像エリアに対応するタッチパネル上での第２のタッチ操作であって、選択画像エリアに表示された選択候補画像から１又は２以上の画像を選択する第２のタッチ操作を受け付けるステップと、第２のタッチ操作を受け付けると、選択された１又は２以上の画像に関する情報を出力するステップと、を更に含むことが好ましい。
【００２４】
本発明の更に他の態様に係る画像選択プログラムは、複数の画像をマトリクス状に配置して表示する表示部であって、画像消去エリアと選択画像エリアとに分割された画面を有する表示部と、表示部の画面上に配設されたタッチパネルと、を備えた画像選択装置を制御するコンピュータに、画像消去エリアに表示可能な画像数よりも多い画像群から画像消去エリアに表示可能な画像数の画像を抽出し、画像消去エリアに抽出した画像をマトリクス状に配置して表示させる第１の表示制御を行う機能と、画像消去エリアに対応するタッチパネル上での連続した第１のタッチ操作であって、タッチ位置の移動軌跡を示す第１のタッチ操作を受け付ける機能と、第１のタッチ操作を受け付けると、タッチ位置の移動軌跡に応じて画像消去エリアに表示された画像を、消去する画像と選択候補画像として保持する画像と未選択の画像とに分類する機能と、分類する機能での分類結果に応じて画像消去エリアに表示された画像のうちの消去する画像を画像消去エリアから消去し、選択候補画像として保持する画像を選択画像エリアに移動させる第２の表示制御を行う機能と、画像消去エリアのうちの画像の消去及び画像の選択画像エリアへの移動に伴って空いた第１の空きエリアに未選択の画像を移動させ、かつ画像消去エリアのうちの未選択の画像の移動後に空いた第２の空きエリアに、画像群のうちの未表示の画像を追加して表示させる第３の表示制御を行う機能と、を実現させる。
【００２５】
本発明の更に他の態様に係る画像選択プログラムにおいて、表示部の画面は、画像消去エリアとなる上画面と選択画像エリアとなる下画面との上下に２分割され、第３の表示制御を行う機能は、第１の空きエリアに第１の空きエリアの上方に積み重なっている未選択の画像を落下させ、画像消去エリアのうちの未選択の画像の落下により空いた第２の空きエリアに、画像群のうちの未表示の画像を落下させて第２の空きエリアを埋めることが好ましい。
【００２６】
本発明の更に他の態様に係る画像選択プログラムにおいて、選択画像エリアに対応するタッチパネル上での第２のタッチ操作であって、選択画像エリアに表示された選択候補画像から１又は２以上の画像を選択する第２のタッチ操作を受け付ける機能と、第２のタッチ操作を受け付けると、選択された１又は２以上の画像に関する情報を出力する機能と、を更に備えることが好ましい。
【発明の効果】
【００２７】
本発明によれば、多数の画像の中からゲーム感覚で所望の画像を素早く選択することができる。
【図面の簡単な説明】
【００２８】
【図１】本発明が応用されたプリントシステムの概念図である。
【図２】ユーザ端末１００の一実施形態であるスマートフォンの外観を示す図である。
【図３】図２に示したスマートフォンの内部構成を示すブロック図である。
【図４】画像選択装置として機能するスマートフォンの主たる機能を示すブロック図である。
【図５】スマートフォンの表示パネルに表示される画面の第１の画面遷移図である。
【図６】スマートフォンの表示パネルに表示される画面の第２の画面遷移図である。
【図７】スマートフォンの表示パネルに表示される画面の第３の画面遷移図である。
【図８】スマートフォンの表示パネルに表示される画面の第４の画面遷移図である。
【図９】本発明に係る画像選択方法の実施形態を示すフローチャートである。
【発明を実施するための形態】
【００２９】
以下、添付図面に従って本発明に係る画像選択装置、画像選択方法及び画像選択プログラムの実施の形態について説明する。以下の実施形態では、多数の画像の中からプリントに供される「画像」を選択する例について説明するが、これに限定されず、多数の商品（例えば、アパレル商品）の画像の中から購入等をする商品画像を選択する場合にも本発明を応用することが可能であり、要は画像群から所望の画像を選択するものであれば、本発明を応用することができる。
【００３０】
図１は、本発明が応用されたプリントシステムの概念図である。このプリントシステムは、ユーザ毎のユーザ端末１００（１００ａ，１００ｂ，…）と、店頭端末２００と、プリントサーバ３００とから構成され、ユーザ端末１００と店頭端末２００とプリントサーバ３００とは、インターネット等のネットワーク３０２を介して接続されている。
【００３１】
ユーザ端末１００（１００ａ，１００ｂ，…）は、本発明に係る画像選択装置として機能し得るものであり、例えば、スマートフォン、タブレットデバイス等のポータブル端末やパソコンなどの形態をとり得る。
【００３２】
店頭端末２００は、本発明に係る画像選択装置として機能し得るものであり、写真店、書店、スーパーなどの各種店舗の店頭に設置された店頭情報端末である。
【００３３】
プリントサーバ３００は、ユーザ端末１００からの要求に応じて本発明に係る画像選択プログラムを、ネットワーク３０２を通じてユーザ端末１００にダウンロードし、また、ユーザ端末１００、あるいは店頭端末２００にて選択された１又は２以上の画像（プリント注文画像）を、ユーザ端末１００、あるいは店頭端末２００からネットワーク３０２を通じて受信し、受信した画像に基づいて写真プリント、写真入りのポストカード、アルバム等を作成する。
【００３４】
＜ユーザ端末１００＞
以下、ユーザ端末１００として機能し得るスマートフォンについて説明する。
【００３５】
図２は、ユーザ端末１００の一実施形態であるスマートフォンの外観を示す図である。図２に示すユーザ端末（以下、「スマートフォン」という）１００は、平板状の筐体１０２を有し、筐体１０２の一方の面に表示部としての表示パネル１２１と、入力部としての操作パネル１２２とが一体となって形成される表示入力部１２０が設けられる。また、その筐体１０２は、スピーカ１３１と、マイクロホン１３２と、操作部１４０と、カメラ部１４１とを備える。尚、筐体１０２の構成はこれに限定されず、例えば、表示部と入力部とが独立して設けられる構成を採用したり、折り畳み構造やスライド機構を有する構成を採用することもできる。
【００３６】
図３は、図２に示したスマートフォン１００の内部構成を示すブロック図である。図３に示すように、スマートフォン１００の主たる構成要素として、無線通信部１１０と、表示入力部１２０と、通話部１３０と、操作部１４０と、カメラ部１４１と、記憶部１５０と、外部入出力部１６０と、ＧＰＳ(Global Positioning System)受信部１７０と、モーションセンサ部１８０と、電源部１９０と、主制御部１０１とを備える。また、スマートフォン１００の主たる機能として、基地局装置と移動通信網とを介した移動無線通信を行う無線通信機能を備える。
【００３７】
無線通信部１１０は、主制御部１０１の指示に従って、移動通信網に接続された基地局装置との間で無線通信を行う。その無線通信が使用されて、音声データ及び画像データ等の各種ファイルデータや電子メールデータなどの送受信、及びウェブデータやストリーミングデータなどの受信が行われる。
【００３８】
表示入力部１２０は、表示パネル１２１の画面上に配設された操作パネル１２２を備えたいわゆるタッチパネルであり、主制御部１０１の制御により、画像（静止画像及び動画像）や文字情報などを表示して視覚的にユーザに情報を伝達し、また表示した情報に対するユーザ操作を検出する。尚、操作パネル１２２を便宜上、タッチパネルとも称す。
【００３９】
表示パネル１２１は、ＬＣＤ(Liquid Crystal Display)又はＯＥＬＤ(Organic Electro-Luminescence Display）などを表示デバイスとして用いる。操作パネル１２２は、表示パネル１２１の表示面上に表示される画像が視認可能な状態で設けられ、ユーザの指や尖筆によって操作される１又は複数の座標を検出するデバイスである。そのデバイスがユーザの指や尖筆によって操作されると、操作パネル１２２は、操作に起因して発生する検出信号を主制御部１０１に出力する。次いで、主制御部１０１は、受信した検出信号に基づいて、表示パネル１２１上の操作位置（座標）を検出する。
【００４０】
図２に例示されるスマートフォン１００の表示パネル１２１と操作パネル１２２とは一体となって表示入力部１２０を構成し、操作パネル１２２が表示パネル１２１を完全に覆うような配置となっている。その配置を採用した場合、操作パネル１２２は、表示パネル１２１外の領域についても、ユーザ操作を検出する機能を備えてもよい。換言すると、操作パネル１２２は、表示パネル１２１に重なる重畳部分についての検出領域（以下、「表示領域」という）と、それ以外の表示パネル１２１に重ならない外縁部分についての検出領域（以下、「非表示領域」という）とを備えていてもよい。
【００４１】
尚、表示領域の大きさと表示パネル１２１の大きさとを完全に一致させてもよいが、両者を必ずしも一致させる必要はない。また、操作パネル１２２が、外縁部分及びそれ以外の内側部分の２つの感応領域を備えていてもよい。更に、その外縁部分の幅は、筐体１０２の大きさなどに応じて適宜設計されるものである。更にまた、操作パネル１２２で採用される位置検出方式としては、マトリクススイッチ方式、抵抗膜方式、表面弾性波方式、赤外線方式、電磁誘導方式、及び静電容量方式などが挙げられ、いずれの方式が採用されてもよい。
【００４２】
通話部１３０は、スピーカ１３１及びマイクロホン１３２を備え、マイクロホン１３２を通じて入力されたユーザの音声を主制御部１０１にて処理可能な音声データに変換して主制御部１０１に出力したり、無線通信部１１０或いは外部入出力部１６０により受信された音声データを復号してスピーカ１３１から出力したりする。また、図２に示すように、例えば、スピーカ１３１及びマイクロホン１３２を表示入力部１２０が設けられた面と同じ面に搭載することができる。
【００４３】
操作部１４０は、キースイッチなどを用いたハードウェアキーであって、ユーザからの指示を受け付ける。例えば、図２に示すように、操作部１４０は、スマートフォン１００の筐体１０２の側面に搭載され、指などで押下されるとスイッチオン状態となり、指を離すとバネなどの復元力によってスイッチオフ状態となる押しボタン式のスイッチである。
【００４４】
記憶部１５０は、主制御部１０１の制御プログラムや制御データ、本発明に係る画像選択プログラムを含む各種のアプリケーションソフトウェア、通信相手の名称や電話番号などを対応づけたアドレスデータ、送受信した電子メールのデータ、ウェブブラウジングによりダウンロードしたウェブデータ、及びダウンロードしたコンテンツデータ等を記憶し、またストリーミングデータなどを一時的に記憶する。
【００４５】
また、記憶部１５０は、スマートフォン内蔵の内部記憶部１５１と着脱自在な外部メモリスロットを有する外部記憶部１５２とにより構成される。尚、記憶部１５０を構成する内部記憶部１５１及び外部記憶部１５２のそれぞれは、フラッシュメモリタイプ、ハードディスクタイプ、マルチメディアカードマイクロタイプ、カードタイプのメモリ、ＲＡＭ(Random Access Memory)、或いはＲＯＭ(Read Only Memory)などの格納媒体を用いて実現される。
【００４６】
外部入出力部１６０は、スマートフォン１００に連結される全ての外部機器とのインターフェースの役割を果たし、通信等（例えば、ＵＳＢ（Universal Serial Bus）、ＩＥＥＥ１３９４など）又はネットワーク（例えば、ネットワーク、無線ＬＡＮ(Local Area Network)、ブルートゥース(Bluetooth)（登録商標）、ＲＦＩＤ(Radio Frequency Identification)、赤外線通信(Infrared Data Association：ＩｒＤＡ）、ＵＷＢ(Ultra Wideband)（登録商標）、ジグビー(ZigBee)（登録商標）など）により他の外部機器に直接的又は間接的に接続する。
【００４７】
スマートフォン１００に連結される外部機器としては、例えば、有線／無線ヘッドセット、有線／無線外部充電器、有線／無線データポート、カードソケットを介して接続されるメモリカード(Memory card)やＳＩＭ(Subscriber Identity Module Card)／ＵＩＭ(User Identity Module Card)カード、オーディオ・ビデオＩ／Ｏ(Input/Output)端子を介して接続される外部オーディオ・ビデオ機器、有線／無線接続される外部オーディオ・ビデオ機器、スマートフォン、パーソナルコンピュータ、ＰＤＡ（Personal Digital Assistant）、及びイヤホンなどがある。外部入出力部１６０は、このような外部機器から伝送を受けたデータをスマートフォン１００の内部の各構成要素に伝達したり、スマートフォン１００の内部のデータが外部機器に伝送されたりするように構成されてもよい。
【００４８】
ＧＰＳ受信部１７０は、主制御部１０１の指示に従って、ＧＰＳ衛星ＳＴ１、ＳＴ２〜ＳＴｎから送信されるＧＰＳ信号を受信し、受信した複数のＧＰＳ信号に基づく測位演算処理を実行し、スマートフォン１００の緯度、経度及び高度によって特定される位置情報（ＧＰＳ情報）を取得する。ＧＰＳ受信部１７０は、無線通信部１１０及び／又は外部入出力部１６０（例えば、無線ＬＡＮ）から位置情報を取得できる場合には、その位置情報を用いて位置を検出することもできる。
【００４９】
モーションセンサ部１８０は、例えば、３軸の加速度センサなどを備え、主制御部１０１の指示に従って、スマートフォン１００の物理的な動きを検出する。スマートフォン１００の物理的な動きを検出することにより、スマートフォン１００の動く方向や加速度が検出される。その検出の結果は、主制御部１０１に出力される。
【００５０】
電源部１９０は、主制御部１０１の指示に従って、スマートフォン１００の各部に、バッテリ（図示しない）に蓄えられる電力を供給する。
【００５１】
主制御部１０１は、マイクロプロセッサを備え、記憶部１５０が記憶する制御プログラムや制御データに従って動作し、スマートフォン１００の各部を統括して制御する。また、主制御部１０１は、無線通信部１１０を通じて音声通信及びデータ通信を行うために、通信系の各部を制御する移動通信制御機能と、アプリケーション処理機能とを備える。
【００５２】
アプリケーション処理機能は、記憶部１５０が記憶するアプリケーションソフトウェアに従って主制御部１０１が動作することにより実現される。アプリケーション処理機能としては、例えば、外部入出力部１６０を制御することで対向機器とデータ通信を行う赤外線通信機能や、電子メールの送受信を行う電子メール機能、及びウェブページを閲覧するウェブブラウジング機能の他、本発明に係る画像選択機能などがある。
【００５３】
また、主制御部１０１は、受信データやダウンロードしたストリーミングデータなどの画像データ（静止画像や動画像のデータ）に基づいて、映像を表示入力部１２０に表示する等の画像処理機能を備える。画像処理機能とは、主制御部１０１が、上記画像データを復号し、その復号結果に画像処理を施して、その画像処理を経て得られる画像を表示入力部１２０に表示する機能のことをいう。
【００５４】
更に、主制御部１０１は、表示パネル１２１に対する表示制御と、操作部１４０や操作パネル１２２を通じたユーザ操作を検出する操作検出制御とを実行する。
【００５５】
表示制御の実行により、主制御部１０１は、アプリケーションソフトウェアを起動するためのアイコンや、スクロールバーなどのソフトウェアキーを表示したり、或いは電子メールを作成するためのウィンドウを表示する。尚、スクロールバーとは、表示パネル１２１の表示領域に収まりきれない大きな画像などについて、画像の表示部分を移動する指示を受け付けるためのソフトウェアキーのことをいう。
【００５６】
また、操作検出制御の実行により、主制御部１０１は、操作部１４０を通じたユーザ操作を検出したり、操作パネル１２２を通じて、上記アイコンに対する操作や、上記ウィンドウの入力欄に対する文字列の入力を受け付けたり、或いは、スクロールバーを通じた表示画像のスクロール要求を受け付ける。
【００５７】
更に、操作検出制御の実行により主制御部１０１は、操作パネル１２２に対する操作位置が、表示パネル１２１に重なる重畳部分（表示領域）に該当するか、或いはそれ以外の表示パネル１２１に重ならない外縁部分（非表示領域）に該当するかを判定し、操作パネル１２２の感応領域やソフトウェアキーの表示位置を制御するタッチパネル制御機能を備える。
【００５８】
また、主制御部１０１は、操作パネル１２２に対するジェスチャ操作を検出し、検出したジェスチャ操作に応じて、予め設定された機能を実行することもできる。ジェスチャ操作とは、従来の単純なタッチ操作ではなく、指などによって軌跡を描いたり、複数の位置を同時に指定したり、或いはこれらを組み合わせて、複数の位置から少なくとも１つについて軌跡を描く操作を意味する。
【００５９】
カメラ部１４１は、主制御部１０１の制御により、撮像によって得た画像データを例えばＪＰＥＧ（Joint Photographic Experts Group）などの圧縮した画像データに変換し、その画像データを記憶部１５０に記録したり、外部入出力部１６０や無線通信部１１０を通じて出力したりすることができる。図２に示すようにスマートフォン１００において、カメラ部１４１は表示入力部１２０と同じ面に搭載されているが、カメラ部１４１の搭載位置はこれに限らず、表示入力部１２０が設けられる筐体１０２の表面ではなく筐体１０２の背面にカメラ部１４１が搭載されてもよいし、或いは複数のカメラ部１４１が筐体１０２に搭載されてもよい。尚、複数のカメラ部１４１が搭載されている場合には、撮像に供するカメラ部１４１を切り替えて単独のカメラ部１４１によって撮像が行われてもよいし、或いは、複数のカメラ部１４１を同時に使用して撮像が行われてもよい。
【００６０】
また、カメラ部１４１はスマートフォン１００の各種機能に利用することができる。例えば、カメラ部１４１で取得した画像が表示パネル１２１に表示さてもよいし、操作パネル１２２の操作入力手法の一つとして、カメラ部１４１で撮像取得される画像が利用されてもよい。また、ＧＰＳ受信部１７０が位置を検出する際に、カメラ部１４１からの画像が参照されて位置が検出されてもよい。更には、カメラ部１４１からの画像が参照されて、３軸の加速度センサを用いずに、或いは、３軸の加速度センサと併用して、スマートフォン１００のカメラ部１４１の光軸方向を判断することや、現在の使用環境を判断することもできる。勿論、カメラ部１４１からの画像をアプリケーションソフトウェア内で利用することもできる。
【００６１】
その他、ＧＰＳ受信部１７０により取得された位置情報、マイクロホン１３２により取得された音声情報（主制御部等により、音声テキスト変換を行ってテキスト情報となっていてもよい）、及びモーションセンサ部１８０により取得された姿勢情報等などを静止画又は動画の画像データに付加して得られるデータを、記憶部１５０に記録したり、外部入出力部１６０や無線通信部１１０を通じて出力したりすることもできる。
【００６２】
さて、上記構成のスマートフォン１００は、プリントサーバ３００からダウンロードした画像選択プログラム（アプリケーションソフトウェア）を主制御部１０１が実行することにより、画像選択装置として機能する。
【００６３】
図４は、画像選択装置として機能するスマートフォン１００の主たる機能を示すブロック図である。
【００６４】
図４において、タッチパネルを構成する操作パネル１２２は、主制御部１０１と協働し、第１のタッチ操作受付部１２２ａ、第２のタッチ操作受付部１２２ｂ、第３のタッチ操作受付部１２２ｃ、及び第４のタッチ操作受付部１２２ｄとして機能する。尚、各タッチ操作受付部の詳細については後述する。
【００６５】
操作パネル１２２でのタッチ操作による操作情報は、表示制御部１０４、分類部１０６及び出力部１６２に加えられる。
【００６６】
表示パネル１２１に対する表示制御を行う主制御部１０１（表示制御部１０４）は、第１の表示制御部１０４ａ、第２の表示制御部１０４ｂ、及び第３の表示制御部１０４ｃとして機能する。
【００６７】
表示制御部１０４は、記憶部１５０の画像フォルダ１５０ａ（例えば、カメラ部１４１により撮像された画像群が記憶された画像フォルダ）に格納された画像群の縮小画像（サムネイル画像）の中からサムネイル画像（以下、単に「画像」という）を適宜読み出し、読み出した画像を表示パネル１２１に表示させるもので、操作パネル１２２でのタッチ操作及び分類部１０６での分類結果に応じて画像の読出し、読み出した画像の表示、表示された画像の消去及び移動等の表示制御を行う。尚、表示制御部１０４の詳細については後述する。
【００６８】
分類部１０６は、第１のタッチ操作受付部１２２ａからの操作情報に基づいて表示パネル１２１の後述する画像消去エリアに表示された複数の画像を、消去する画像と選択候補画像として保持する画像と未選択の画像とに分類し、その分類結果を第２の表示制御部１０４ｂに出力する。
【００６９】
表示部として機能する表示パネル１２１は、図５から図８に示すように複数の画像をマトリクス状に配置して表示するもので、表示パネル１２１の画面は、画像消去エリア１２１Ｕとなる上画面と選択画像エリア１２１Ｄとなる下画面との上下に２分割されている。
【００７０】
残量表示部１２１ａは、画像フォルダ１５０ａに格納されている画像群の中で、本実施形態の画像選択中に表示パネル１２１に一度も表示されていない画像の画像数（残量）を、棒グラフ等のグラフィックで表示し、又は数字で表示する部分である。残量表示部１２１ａは、表示パネル１２１の画面内の画像消去エリア１２１Ｕ及び選択画像エリア１２１Ｄ以外のエリアに設けることが好ましい。
【００７１】
出力部１６２は、本例では主制御部１０１及び無線通信部１１０を含んで構成され、画像フォルダ１５０ａに格納された画像群の中から操作パネル１２２での操作により最終的に選択された１又は２以上の画像に関する情報等を、ネットワーク３０２を介してプリントサーバ３００に出力する。画像に関する情報は、画像自体でもよいし、画像を一意に特定する情報でもよい。
【００７２】
次に、図４に示した表示制御部１０４、分類部１０６及び操作パネル１２２でのタッチ操作の詳細について、図５から図８に示したスマートフォン１００の表示パネル１２１に表示される画面の画面遷移図を参照しながら説明する。
【００７３】
図５に示すように表示パネル１２１の画面は、画像消去エリア１２１Ｕとなる上画面と選択画像エリア１２１Ｄとなる下画面との上下に２分割されている。
【００７４】
本例の画像消去エリア１２１Ｕは、５行５列の２５枚の画像（サムネイル画像）をマトリクス状に配置して表示するエリアであり、この画像消去エリア１２１Ｕに対応するタッチパネル（操作パネル１２２）は、連続した第１のタッチ操作であって、タッチ位置の移動軌跡を示す第１のタッチ操作を受け付ける第１のタッチ操作受付部１２２ａとして機能し得る。
【００７５】
本例の選択画像エリア１２１Ｄは、３行５列の１５枚の画像（サムネイル画像）をマトリクス状に配置して表示するエリアであり、この選択画像エリア１２１Ｄに対応するタッチパネル（操作パネル１２２）は、選択画像エリア１２１Ｄに表示された画像（選択候補画像）から１又は２以上の画像を選択する第２のタッチ操作を受け付ける第２のタッチ操作受付部１２２ｂとして機能し得る。
【００７６】
尚、図５から図８において、画像消去エリア１２１Ｕ及び選択画像エリア１２１Ｄに表示された、枠付きの数字は、画像（サムネイル画像）を模式的に示したものであり、また、画像フォルダ１５０ａからの画像の読出しの順番（例えば、撮影日時の順番）を示している。
【００７７】
尚、図５から図８において、画像消去エリア１２１Ｕ及び選択画像エリア１２１Ｄに表示された、枠付きの数字は、画像（サムネイル画像）を模式的に示したものであり、また、画像フォルダ１５０ａからの画像の読出しの順番（例えば、撮影日時の順番）を示している。
【００７８】
図５（Ａ）は、本発明に係る画像選択の開始時におけるスマートフォン１００の表示パネル１２１の画面を示す図である。第１の表示制御部１０４ａは、画像選択の開始時には画像フォルダ１５０ａに格納されている画像群の中から、撮影日時順に２５枚の画像（画像１〜画像２５）を読み出し、これらの２５枚の画像を画像消去エリア１２１Ｕに５行５列のマトリクス状に配置表示させる。
【００７９】
ユーザは、画像消去エリア１２１Ｕに対応する操作パネル１２２上で、表示パネル１２１から消去する画像（目的の画像として選択しない画像）を指（又はタッチペン）でなぞる。図５（Ｂ）に示す例では、ユーザは、画像４→画像８→画像７→画像６→画像１１→画像１６→画像１７→画像１８→画像１９→画像１４の順に画像を指でなぞっている。
【００８０】
第１のタッチ操作受付部１２２ａは、ユーザが指でなぞったタッチ位置の移動軌跡を示す第１のタッチ操作を受け付け、タッチ位置の移動軌跡（即ち、タッチ位置の連続した座標）を示す位置情報を分類部１０６に出力する。尚、第１のタッチ操作の受付けは、１回の連続したタッチ操作（一筆書き）毎に行われる。
【００８１】
分類部１０６は、第１のタッチ操作受付部１２２ａから入力するタッチ位置の移動軌跡を示す位置情報に応じて、画像消去エリア１２１Ｕに表示された２５枚の画像を、消去する画像と選択候補画像として保持する画像と未選択の画像とに分類し、分類した分類結果を第２の表示制御部１０４ｂに出力する。
【００８２】
本実施形態では、分類部１０６は、タッチ位置の移動軌跡上に位置する画像（画像６〜８、１１、１４、１６〜１９）を消去する画像として分類し、タッチ位置の移動軌跡内で最も上のタッチ位置が属する画像（図５（Ｂ）の例では、画像１６〜１９）の行（２行目）から画像消去エリア１２１Ｕ内で最も下の画像（画像１〜５）の行（５行目）までの第１の範囲Ａ（図５（Ｃ）参照）内の画像のうちの消去する画像として分類された画像以外の画像（画像１〜３、５、９〜１０、１２〜１３、１５、２０）を選択候補画像として分類し、画像消去エリア１２１Ｕに表示された画像のうちの第１の範囲Ａ以外の第２の範囲Ｂの画像（図５（Ｃ）の例では、画像２１〜２５）を未選択の画像として分類する。
【００８３】
第２の表示制御部１０４ｂは、分類部１０６により分類された分類結果に応じて画像消去エリア１２１Ｕに表示された画像のうち、消去する画像として分類された画像を画像消去エリア１２１Ｕから消去し、選択候補画像として分類された画像を選択画像エリア１２１Ｄに移動させる。
【００８４】
第２の表示制御部１０４ｂは、選択候補画像（画像１〜３、５、９〜１０、１２〜１３、１５、２０）を画像消去エリア１２１Ｕから選択画像エリア１２１Ｄに移動させる際に、図５（Ｄ）に示すように選択画像エリア１２１Ｄの空きエリア内の最下段の行から選択候補画像を読出し順に詰めて表示させる。また、第２の表示制御部１０４ｂは、選択候補画像を画像消去エリア１２１Ｕから選択画像エリア１２１Ｄに移動させる際に、選択候補画像が落下するように表示させる（即ち、移動中の画像を動画で表示させる）。
【００８５】
上記のように消去する画像として分類された画像の消去及び選択候補画像の移動により、画像消去エリア１２１Ｕ内の第１の範囲Ａは空きエリア（第１の空きエリア）となる。
【００８６】
第３の表示制御部１０４ｃは、画像の消去及び画像の選択画像エリア１２１Ｄへの移動に伴って空いた第１の空きエリアに未選択の画像（第２の範囲Ｂの画像）を移動させ、かつ画像消去エリア１２１Ｕのうちの未選択の画像の移動後に空いた空きエリア（第２の空きエリア）に、画像フォルダ１５０ａに格納されている画像群のうちの未表示の画像を追加して表示させ、第２の空きエリアを埋める（図５（Ｄ））。
【００８７】
図５に示す例では、第３の表示制御部１０４ｃは、第２の範囲Ｂ内の未選択の画像（図５（Ｃ）の例では、画像２１〜２５）を、画像消去エリア１２１Ｕの最下段の行（５行目）に移動させる。これにより、画像消去エリア１２１Ｕのうちの１行目から４行目に対応するエリアが第２の空きエリアとなる。第３の表示制御部１０４ｃは、画像フォルダ１５０ａに格納されている画像群から新たに４行分の画像（画像２６〜４５）を読み出し（抽出し）、抽出した新たな画像２６〜４５を第２の空きエリアに追加し、画像消去エリア１２１Ｕの全エリアを画像で埋めつくす。このとき、第３の表示制御部１０４ｃは、第１の範囲Ａ（第１の空きエリア）の上方に積み重なっている未選択の画像（第２の範囲Ｂの画像２１〜２５）を落下させるとともに、未選択の画像の落下により空いた第２の空きエリアに画像２６〜４５を順次落下させて第２の空きエリアを埋めつくすように表示させる。
【００８８】
図６は、図５（Ｄ）に示す状態から再度、消去する画像を指でなぞる第１のタッチ操作が行われた場合の表示パネル１２１の画面遷移図である。
【００８９】
第１のタッチ操作受付部１２２ａは、ユーザが指でなぞったタッチ位置の移動軌跡を示す第１のタッチ操作を再度受け付け、タッチ位置の移動軌跡を示す位置情報を分類部１０６に出力する。図６（Ａ）に示す例では、ユーザは、画像２５→画像２４→画像２３→画像２２→画像２７→画像３２→画像３３→画像３４→画像３５の順に画像を指でなぞっている。
【００９０】
分類部１０６は、タッチ位置の移動軌跡上に位置する画像（画像２２〜２５、２７、３２〜３５）を消去する画像として分類し、タッチ位置の移動軌跡内で最も上のタッチ位置が属する画像（図６（Ａ）の例では、画像３２〜３５）の行（３行目）から画像消去エリア１２１Ｕ内で最も下の画像（画像２１〜２５）の行（５行目）までの第１の範囲Ａ（図６（Ｂ）参照）内の画像のうちの消去する画像として分類された画像以外の画像（画像２１、２６、２８〜３０、３１）を選択候補画像として分類し、画像消去エリア１２１Ｕに表示された画像のうちの第１の範囲Ａ以外の第２の範囲Ｂの画像（図６（Ｂ）の例では、画像３６〜４５）を未選択の画像として分類する。
【００９１】
第２の表示制御部１０４ｂは、分類部１０６により分類された分類結果に応じて画像消去エリア１２１Ｕに表示された画像のうち、消去する画像として分類された画像を画像消去エリア１２１Ｕから消去し、選択候補画像として分類された画像を選択画像エリア１２１Ｄに移動させる。
【００９２】
ここで、第２の表示制御部１０４ｂは、選択候補画像（画像２１、２６、２８〜３０、３１）を画像消去エリア１２１Ｕから選択画像エリア１２１Ｄに移動させる際に、選択候補画像として保持する画像の画像数が、選択画像エリア１２１Ｄの空きエリアに表示可能な画像数を越えると、選択画像エリア１２１Ｄに表示されている選択候補画像をシフトして空きエリアを拡大させ、拡大させた空きエリアに選択候補画像を移動させる。これにより、選択画像エリア１２１Ｄには、最新の第１のタッチ操作により選択された画像が優先して表示されることになる。
【００９３】
図６（Ｂ）に示す例では、選択画像エリア１２１Ｄの空きエリアに表示可能な画像数は５枚であるのに対し、選択候補画像は６枚である。従って、第２の表示制御部１０４ｂは、選択画像エリア１２１Ｄに表示された画像を１行分下方向にシフトして空きエリアを拡大させ、拡大させた空きエリアに６枚の選択候補画像を移動させている（図６（Ｃ））。
【００９４】
尚、選択画像エリア１２１Ｄに表示された画像を下方向にシフトすることにより、シフトした行数分の画像（本例では、第３の範囲Ｃの画像１〜３、５、９）は、選択画像エリア１２１Ｄから消去されることになるが、これらの画像も選択候補画像としては記憶（保持）されている。
【００９５】
上記のように消去する画像として分類された画像の消去及び選択候補画像の移動により、画像消去エリア１２１Ｕ内の第１の範囲Ａは第１の空きエリアとなる。
【００９６】
第３の表示制御部１０４ｃは、画像の消去及び画像の選択画像エリア１２１Ｄへの移動に伴って空いた第１の空きエリアに未選択の画像（第２の範囲Ｂの画像）を移動させ、かつ画像消去エリア１２１Ｕのうちの未選択の画像の移動後に空いた第２の空きエリアに、画像フォルダ１５０ａに格納されている画像群のうちの未表示の画像を追加して表示させ、空きエリアを埋める（図６（Ｃ））。
【００９７】
図６に示す例では、第３の表示制御部１０４ｃは、第２の範囲Ｂ内の未選択の画像（図６（Ｂ）の例では、画像３６〜４５）を、画像消去エリア１２１Ｕの５行目と４行目に移動させる。これにより、画像消去エリア１２１Ｕのうちの１行目から３行目に対応するエリアが第２の空きエリアとなる。第３の表示制御部１０４ｃは、画像フォルダ１５０ａに格納されている画像群から新たに３行分の画像（画像４６〜６０）を読み出し、読み出した画像４６〜６０を第２の空きエリアに追加し、画像消去エリア１２１Ｕの全エリアを画像で埋めつくす。
【００９８】
以上のように、画像消去エリア１２１Ｕに対応するタッチパネルにおいて、消去する画像を順次指でなぞるタッチ操作（タッチ位置の移動軌跡を示す第１のタッチ操作）を繰り返すことにより、多数の画像群の中から所望の選択候補画像を素早く選択することができ、また、ゲーム感覚で画像の選択ができ、画像の選択を楽しみながら行うことができる。
【００９９】
選択画像エリア１２１Ｄに対応するタッチパネル（操作パネル１２２）は、選択画像エリア１２１Ｄに表示された選択候補画像から１又は２以上の画像を選択する第２のタッチ操作を受け付ける第２のタッチ操作受付部１２２ｂとして機能し、第２のタッチ操作受付部１２２ｂは、例えば、選択画像エリア１２１Ｄに表示された選択候補画像から目的の画像をタッチする第２のタッチ操作を受け付けると、タッチした位置（タッチパネル上の座標）を示す位置情報を出力部１６２に出力する。尚、第２のタッチ操作受付部１２２ｂは、全ての選択候補画像を目的の画像として選択する第２のタッチ操作を受け付けるものでもよい。
【０１００】
出力部１６２の他の入力には、表示制御部１０４から選択画像エリア１２１Ｄに表示されている各選択候補画像の位置情報が加えられており、出力部１６２は、これらの２入力により第２のタッチ操作受付部１２２ｂが受け付けた第３のタッチ操作により選択された画像（サムネイル画像）を特定し、特定したサムネイル画像の本画像を画像フォルダ１５０ａから読み出し、読み出した本画像をネットワーク３０２を介してプリントサーバ３００に出力する。
【０１０１】
また、図４に示す操作パネル１２２の第３のタッチ操作受付部１２２ｃは、選択画像エリア１２１Ｄに移動させられた選択候補画像（選択画像エリア１２１Ｄでの画像のシフトにより選択画像エリア１２１Ｄから消去された選択候補画像を含む）を、画像消去エリア１２１Ｕに表示させる新たな画像群に変更させるタッチ操作（第３のタッチ操作）を受け付けるものであり、第３のタッチ操作を受け付けると、第３のタッチ操作があったことを示す操作情報を表示制御部１０４に出力する。
【０１０２】
例えば、図７（Ａ）に示す状態において、選択画像エリア１２１Ｄが一定時間（例えば、数秒）以上、タッチされると、選択画像エリア１２１Ｄがイネーブル状態となり（図７（Ｂ））、イネーブル状態に遷移した後、指を上方に移動（ドラッグ）させると、選択画像エリア１２１Ｄが上方にスライドし、下側に空間エリアが表れる（図７（Ｃ）。
【０１０３】
そして、上方にスライドした選択画像エリア１２１Ｄが、画像消去エリア１２１Ｕとなり、下側に表れた空間エリアが選択画像エリア１２１Ｄとなる（図７（Ｄ）。
【０１０４】
従って、図８（Ａ）〜（Ｃ）に示すように、画像消去エリア１２１Ｕにおいて、消去する画像をなぞる第１のタッチ操作を行うことにより、画像消去エリア１２１Ｕに表示されている選択候補画像から更に絞り込んだ選択候補画像を選択することができる。
【０１０５】
また、選択画像エリア１２１Ｄに移動した選択画像から更に画像の絞り込みを行う場合には、図７（Ｂ）及び（Ｃ）に示したタッチ操作（第３のタッチ操作）と同じ操作を行い（図８（Ｄ）、選択画像エリア１２１Ｄを上方にスライドさせ、画像消去エリア１２１Ｕに遷移させ、ここで更に画像の選択の絞り込みを行う。
【０１０６】
第３のタッチ操作受付部１２２ｃは、選択画像エリア１２１Ｄをイネーブルにし、上方にスライドさせ、画像消去エリア１２１Ｕに遷移させる一連のタッチ操作を第３のタッチ操作として受け付けることができる。
【０１０７】
また、図７及び図８に示した実施形態に限らず、画像フォルダ１５０ａに格納された画像群の全ての画像の画像消去エリア１２１Ｕでの表示が終了し、画像消去エリア１２１Ｕに画像が表示されない状態になり、かつ選択された選択候補画像が選択画像エリア１２１Ｄに表示可能な画像数よりも多い場合、第３のタッチ操作受付部１２２ｃでの第３のタッチ操作により、選択した選択候補画像を、画像消去エリア１２１Ｕに表示させる新たな画像群に変更させることができる。これにより、絞り込まれた画像群から再び選択候補画像の選択が可能になり、選択候補画像の絞り込みを行うことができる。
【０１０８】
例えば、表示制御部１０４は、画像消去エリア１２１Ｕにおいて全ての画像の表示が終了し、画像消去エリア１２１Ｕに画像が表示されなくなると、画像消去エリア１２１Ｕ（空きエリア）に第３のタッチ操作を受け付けるアイコンボタンを表示させ、第３のタッチ操作受付部１２２ｃは、画像消去エリア１２１Ｕに表示されたアイコンボタンによりタッチ操作（第３のタッチ操作）を受け付け、第３のタッチ操作を示す操作情報を表示制御部１０４に出力する。これにより、表示制御部１０４は、現在選択されている選択候補画像を絞り込み対象の画像群として扱い、操作パネル１２２での操作にしたがって上記と同様の表示制御を行う。
【０１０９】
＜分類部１０６による分類の変形例＞
上記実施形態の分類部１０６は、第１のタッチ操作受付部１２２ａから入力するタッチ位置の移動軌跡を示す位置情報に応じて、画像消去エリア１２１Ｕに表示された複数（２５枚）の画像を、消去する画像と選択候補画像として保持する画像と未選択の画像とに分類し、分類した分類結果を第２の表示制御部１０４ｂに出力し、特にタッチ位置の移動軌跡上に位置する画像を消去する画像として分類したが、これに限らず、タッチ位置の移動軌跡が閉じている場合、移動軌跡以内に位置する画像を消去する画像として分類してもよい。
【０１１０】
これによれば、例えば、画像消去エリア１２１Ｕに表示された画像内に消去する画像が多く、かつ、かたまって存在する場合、これらの消去する画像の最外周の画像をなぞるように（即ち、消去する画像の最外周の画像に沿ってタッチ位置の移動軌跡が閉じるように）タッチ操作を行うことで、消去する画像を素早く指定することができ、タッチ位置の移動軌跡上の画像を消去する場合に比べて効率よく画像を消去することができる。
【０１１１】
尚、この場合も選択候補画像として保持する画像と未選択の画像との分類は、上記実施形態と同様に行うことが好ましい。
【０１１２】
＜消去する画像を選択する他の実施形態＞
上記の実施形態では、画像消去エリア１２１Ｕに表示された複数の画像から不要な画像を消去する場合、画像消去エリア１２１Ｕ上で消去する画像を指でなぞり、又は囲むことで消去する画像を指示するようにしたが、消去する画像が大量にまとまって存在する場合、消去する画像を指でなぞるタッチ操作（第１のタッチ操作）が煩雑になる。
【０１１３】
図４に示す操作パネル１２２の第４のタッチ操作受付部１２２ｄは、画像消去エリア１２１Ｕに対応するタッチパネル上での第４のタッチ操作であって、画像消去エリア１２１Ｕに表示された画像をスクロールさせる第４のタッチ操作を受け付ける。この第４のタッチ操作としては、表示制御部１０４により画像消去エリア１２１Ｕに表示されたスクロールバー（図示せず）を移動させる操作（ドラッグ）、画面上から指を離さずに上下に動かす操作（スクロール）、又は指で画面を上下に払うようになぞる操作（フリック）が考えられる。
【０１１４】
第４のタッチ操作受付部１２２ｄは、第４のタッチ操作を受け付けると、第４のタッチ操作を示す操作情報を表示制御部１０４に出力する。
【０１１５】
表示制御部１０４（第２の表示制御部１０４ｂ）は、第４のタッチ操作を示す操作情報を入力すると、第４のタッチ操作を示す操作情報に基づいて画像フォルダ１５０ａに格納されている画像群から画像を順次読み出し、読み出した画像をスクロールさせる態様で画像消去エリア１２１Ｕに表示させる。尚、画像のスクロールにより画像消去エリア１２１Ｕから消去された画像は、不要な画像（消去する画像）として把握される。
【０１１６】
例えば、画像フォルダ１５０ａに１０００枚の画像が格納されており、目的の画像が８００枚〜１０００枚の範囲に存在することが分かっている場合、１枚から約８００枚までの画像は、画像をスクロールさせることにより画像消去エリア１２１Ｕから消去させることができる。これによれば、タッチ位置の移動軌跡により消去する画像を選択する場合に比べて、より効率的に消去することができる。
【０１１７】
図１に戻って、ユーザ端末（スマートフォン）１００において、タッチパネルでのタッチ操作により目的の画像が選択されると、選択された画像は、無線通信部１１０からネットワーク３０２を介してプリントサーバ３００に送信することができる。
【０１１８】
プリントサーバ３００は、ネットワーク３０２を通じて受信した画像に基づいて写真プリント、写真入りのポストカード、アルバム等を作成する。
【０１１９】
店頭端末２００は、主としてコンピュータ、タッチパネル、各種のメモリカードにデータを読み書きするカードスロット、及びネットワーク３０２やデジタルカメラなどの各種電子機器に接続するための通信インターフェース等から構成され、ユーザ端末１００と同様の画像選択装置として機能し得るものである。
【０１２０】
ユーザは、例えば、店頭端末２００のカードスロットにメモリカードを挿入し、タッチパネルを操作することで、メモリカードに記憶された画像群の中から目的の画像を選択することができる。選択された画像は、ネットワーク３０２を介してプリントサーバ３００に送信され、プリントサーバ３００にて写真プリントとしてプリント出力される。また、店頭端末２００は、写真プリントとの引き換え券としてのレシートを印刷出力する。
【０１２１】
尚、店頭端末２００が写真プリントを出力するプリンタを備え、写真プリントをユーザに提供する場合には、店頭端末２００は、課金処理部を備える必要がある。また、店頭端末２００の場合、ユーザ端末１００と異なり、プリントサーバ３００から本発明に係る画像選択プログラムをダウンロードする必要がない。
【０１２２】
＜画像選択方法＞
図９は、本発明に係る画像選択方法の実施形態を示すフローチャートであり、特にユーザ端末１００又は店頭端末２００において、多数の画像から選択候補画像を選択するまでの手順に関して示している。
【０１２３】
図９において、ユーザ端末１００又は店頭端末２００（以下、単に「画像選択装置」という）による画像選択が開始されると、まず、記憶部１５０に記憶されている画像群の中から、撮影日時順に２５枚の画像（画像１〜画像２５）を読み出し、これらの２５枚の画像を画像消去エリア１２１Ｕに５行５列のマトリクス状に配置表示させる（ステップＳ１０、図５（Ａ）参照）。
【０１２４】
ユーザは、画像消去エリア１２１Ｕに対応する操作パネル１２２上で、表示パネル１２１から消去する画像（目的の画像として選択しない画像）を指でなぞるタッチ操作（第１のタッチ操作）を行う（ステップＳ１２）。
【０１２５】
続いて、第１のタッチ操作受付部１２２ａにより第１のタッチ操作が終了したか否か判別する（ステップＳ１４）。この判別は、指でなぞるタッチ操作が終了したか否か（即ち、連続したタッチ操作が途切れたか否か）により行う。
【０１２６】
ステップＳ１４において、第１のタッチ操作（１回の連続したタッチ操作）が終了したと判別されると（「Yes」の場合）、第１のタッチ操作受付部１２２ａからタッチ位置の移動軌跡を示す位置情報が分類部１０６に出力され、分類部１０６は、タッチ位置の移動軌跡を示す位置情報に応じて、画像消去エリア１２１Ｕに表示された２５枚の画像を、消去する画像と選択候補画像として保持する画像と未選択の画像とに分類する（ステップＳ１６）。
【０１２７】
第２の表示制御部１０４ｂは、ステップＳ１６での分類結果に基づいて、画像消去エリア１２１Ｕに表示された画像のうち、消去する画像として分類された画像を画像消去エリア１２１Ｕから消去し（ステップＳ１８）、選択候補画像として分類された画像を選択画像エリア１２１Ｄに移動（落下）させる（ステップＳ２０）。尚、ステップＳ１８により画像を消去した後、ステップＳ２０により選択候補画像を移動させてもよいし、ステップＳ１８とステップＳ２０の処理を同時に行うようにしてもよい。
【０１２８】
続いて、第３の表示制御部１０４ｃは、画像消去エリア１２１Ｕのうちの画像の消去及び画像の選択画像エリア１２１Ｄへの移動に伴って空いた第１の空きエリアに、第１の空きエリアの上方に積み重なっている未選択の画像を移動（落下）させ（ステップＳ２２）、かつ画像消去エリア１２１Ｕのうちの未選択の画像の移動（落下）により空いた第２の空きエリアに、画像群のうちの未表示の画像を追加して表示させる（ステップＳ２４）。これにより、画像消去エリア１２１Ｕの全エリアが再び画像で埋めつくされる（図６（Ｄ）参照）。
【０１２９】
次に、選択候補画像の選択が終了したか否かを判別する（ステップＳ２６）。この判別は、例えば、記憶部１５０に記憶されている画像群の全ての画像の画像消去エリア１２１Ｕでの表示が終了し、画像消去エリア１２１Ｕに画像が表示されなくなった場合、又は選択画像エリア１２１Ｄに対応するタッチパネル上での第２のタッチ操作であって、選択画像エリア１２１Ｄに表示された選択候補画像から１又は２以上の画像を選択する第２のタッチ操作が行われた場合に、選択候補画像の選択が終了したと判別することができる。
【０１３０】
ステップＳ２６において、選択候補画像の選択が終了していないと判別されると（「No」の場合）、ステップＳ１２に遷移し、再びステップＳ１２からステップＳ２６の処理が行われる。
【０１３１】
［その他］
本実施形態のユーザ端末１００、店頭端末２００では、ユーザ所有の写真画像群の中から目的の画像（例えば、写真プリントする画像）を選択する場合について説明したが、選択対象の画像群は、ユーザ所有の写真画像群に限らず、例えば、ポストカードに印刷されるテンプレート画像の画像群、テンプレート画像に合成されるスタンプ画像の画像群でもよい。この場合、テンプレート画像の画像群やスタンプ画像の画像群は、テンプレート画像のサムネイル画像の画像群やスタンプ画像のサムネイル画像の画像群をプリントサーバ３００から一括してダウンロードし、又はタッチ操作に連動して逐次ダウンロードすることで取得することができる。
【０１３２】
また、プリントサーバ３００の代わりに、ＥＣ(Electronic Commerce)サイトのサーバから、ＥＣサイトで取り扱っている複数の商品（例えば、衣服等の服飾品）を示す商品画像の画像群の中から目的の画像（商品）を選択する場合にも、本発明を適用することができる。この場合、商品画像の画像群は、ＥＣサイトから一括してダウンロードし、又はタッチ操作に連動して逐次ダウンロードすることで取得することができる。また、画像選択装置にて目的の画像（商品）が選択されると、目的の画像（商品）を一意に特定する情報（例えば、画像のファイル名、商品名、商品識別情報等）を出力する（ＥＣサーバに送信する）ことで、目的の商品の購入、目的の商品の詳細情報の閲覧等を行うことが可能である。
【０１３３】
更に、ユーザ端末（コンピュータを含む）を画像選択装置として機能させるためにユーザ端末にインストールされる画像選択プログラム、その画像選択プログラムを記録したコンピュータ読み取り可能な記録媒体（非一時的記録媒体）も本発明の一態様である。
【０１３４】
更にまた、本実施形態では、長方形の表示部を有する長方形のスマートフォンを、縦長となるように持った場合には、表示部の画面は、画像消去エリアとなる上画面と選択画像エリアとなる下画面との上下に２分割されるが、スマートフォンを横長となるように持った場合には、画像消去エリアと選択画像エリアとは、長方形の表示部の画面を左右に分割された左画面と右画面とになる。そして、スマートフォンを横長となるように持った場合にも、縦長となるように持った場合と同様の操作が可能である。尚、この場合、画像消去エリアと選択画像エリアとに表示される画像は、スマートフォンを横長となるように持った状態で正立するように回転させることが好ましい。
【０１３５】
また、本発明は上述した実施の形態に限定されず、本発明の精神を逸脱しない範囲で種々の変形が可能であることは言うまでもない。
【符号の説明】
【０１３６】
１００、１００ａ、１００ｂ…ユーザ端末（スマートフォン）、１０１…主制御部、１０４…表示制御部、１０４ａ…第１の表示制御部、１０４ｂ…第２の表示制御部、１０４ｃ…第３の表示制御部、１０６…分類部、１１０…無線通信部、１２０…表示入力部、１２１…表示パネル、１２１ａ…残量表示部、１２２…操作パネル、１２２ａ…第１のタッチ操作受付部、１２２ｂ…第２のタッチ操作受付部、１２２ｃ…第３のタッチ操作受付部、１２２ｄ…第４のタッチ操作受付部、１４０…操作部、１４１…カメラ部、１５０記憶部、１５０ａ…画像フォルダ、１６０…外部入出力部、１６２…出力部、２００…店頭端末、３００…プリントサーバ、３０２…ネットワーク
【図１】
2017068600.tif 000003
【図２】
2017068600.tif 000004
【図３】
2017068600.tif 000005
【図４】
2017068600.tif 000006
【図５】
2017068600.tif 000007
【図６】
2017068600.tif 000008
【図７】
2017068600.tif 000009
【図８】
2017068600.tif 000010
【図９】
2017068600.tif 000011